(57)【要約】【課題】  下側のムーブメントトレーの搬送用トレー面から上側のムーブメントトレーの取出し用トレー面に上下反転して移されたムーブメントを、作業者が１個ずつ取り出すときに、隣接するムーブメントが取出し用トレー面上で向きを変えないようにすること。【解決手段】  表側が搬送用トレー面に裏側が取出し用トレー面として機能するムーブメントトレー２において、ムーブメント１を収納する深底の収納凹部２０は突起状台座の２５の一方側に傾斜底面２１が、他方側に傾斜底面２１よりも狭い面積で且つ深いレベルの平底面２２がそれぞれ形成されている。傾斜底面２１は収納凹部２０の浅い基部２５から突起状台座２３の基部との間に形成されている。この傾斜底面２１の裏面形状は、取出し用トレー面のムーブメントの傾斜載置面として機能する。【選択図】  図１
2005263254.tif 000002
【特許請求の範囲】
【請求項１】
表側が深底の収納凹部が複数列に整然と密集して配置された搬送用トレー面で且つ表側形状を反転した形状の裏側が取り出し用トレー面であるムーブメントトレーにおいて、搬送されてきたムーブメントが上下反転して移されて載置される前記取出し用トレー面の載置面に、前記ムーブメントの横方向移動を規制する位置規制手段を設けたことを特徴とするムーブメントトレー。
【請求項２】
搬送されてきたムーブメントが上下反転して移されて載置される前記取出し用トレー面の載置面を傾斜載置面とし、これを前記位置規制手段としたことを特徴とする請求項１のムーブメントトレー。
【請求項３】
表側が深底の収納凹部が複数列に整然と密集して配置された搬送用トレー面で且つ表側形状を反転した形状の裏側が取り出し用トレー面であるムーブメントトレーにおいて、前記ムーブメントが針取付け部と電池収納凹部との間の面の一部を着座して載置される突起状台座を前記収納凹部に設ける共に、前記収納凹部の底面を二分し前記突起状台座を境にして広い方の底面を傾斜底面とし、且つ狭い方の底面を深いレベルの平底面としたことを特徴とするムーブメントトレー。
【請求項４】
前記傾斜底面は前記収納凹部の浅い方の基部であって前記突起状台座の座面と同じレベルの基部から前記突起状台座の基部との間に形成されていることを特徴とする請求項３のムーブメントトレー。
【請求項５】
前記傾斜底面は前記突起状台座の基部近傍でカーブしていることを特徴とする請求項４のムーブメントトレー。
【請求項６】
搬送されてきたムーブメントが上下反転して移されて載置される前記取出し用トレー面の載置面に、前記ムーブメントの電池収納凹部に入り込む位置規制用突起を設け、これを前記位置規制手段としたことを特徴とする請求項１のムーブメントトレー。
【請求項７】
表側が深底の収納凹部が複数列に整然と密集して配置された搬送用トレー面で且つ表側形状を反転した形状の裏側が取り出し用トレー面であるムーブメントトレーにおいて、前記ムーブメントが針取付け部の周囲の面を着座して載置される突起状台座を前記収納凹部に設ける共に、前記収納凹部の底面の一部に前記ムーブメントの電池収納凹部よりも小さい突出底面であって且つ前記電池収納凹部の深さ分だけ更に深い突出底面が形成されていることを特徴とするムーブメントトレー。
【発明の詳細な説明】
【技術分野】
【０００１】
本発明は、表側が搬送用トレー面で且つ表側形状が反転した形状の裏側が取り出し用トレー面であるムーブメントトレーであって、多数のムーブメントを収納し複数枚を積み重ねて外装組立て現場などに搬送するのに用いられるムーブメントトレーに関する。
【背景技術】
【０００２】
時計のムーブメント１は、図７示す如く、ボタン電池を収納する円形の電池収納凹部１４が形成された電池面１１と、時針や分針などの針が取付けられる針取付け部１３が突出している針取付け面１２を有する。このムーブメントは、時計の外装組立の現場などに搬送される際には、一枚のムーブメントトレーに数１０個が方向を揃えて整然と収納されている。数１０個のムーブメントを方向を揃えて整然と収納するために、図８の部分平面図に示す如く、ムーブメントトレー４には数１０個の深底の収納凹部４０が複数列に整然と密集して形成されている。図５の断面図に示す如く、時計の外装組立て現場などに搬送されるときは、数１０個のムーブメント１が収納されたムーブメントトレー４は複数枚を積み重ねるのが一般的である。このため、ムーブメントトレー４は表側が搬送用トレー面で且つ表側形状が反転した形状の裏側が取り出し用トレー面となる。従って、ムーブメントトレー４は雄型と雌型の金型を用いたプラスチック材のプレス加工によって製造されている。
従来のムーブメントトレーにおいて、ムーブメントが収納される深底の収納凹部４０は、図５の断面図に示す如く、ムーブメント１が載置される突起状台座４３に針取付け部１３が収まる逃げ溝４３ａを有するものである。即ち、収納凹部４０はムーブメント１が向きを揃えて載置される突起状台座４３を中央部有し、且つ突起状台座４３の中心部にはムーブメント１の針取付け部１３が収まる逃げ溝４３ａが形成されている。言わば、この深底の収納凹部４０は、外輪山を有する火山の如き形状である。これは、外部からの衝撃を緩和させ、ムーブメント１の針取付け部１３が接触して変形しないようにするための構造である。また、搬送する時に、ムーブメントトレー４を積み重ねるため、ムーブメント１が平面ズレを起こさないように深底の収納凹部４０はムーブメント１を入れる深さよりも深くしている。
上述の如く、外部からの衝撃を緩和させ、ムーブメント１の針取付け部１３が接触して変形しないようにすると共に、搬送コストを低減するためにムーブメントトレー４の深底の収納凹部４０にムーブメント１が収納されている。このため、組立て現場でのムーブメント１の取出しは、積み重ねて搬送されたムーブメントトレー４を上下反転させてから行われる。上下反転すると、搬送時の最上段の空のムーブメントトレーの裏面は、最下段のムーブメントトレーに収納されているムーブメントの取出し用トレー面になる。また、上下反転すると、搬送時の最下段のムーブメントトレーの搬送用トレー面は空になる。
この最上段の空のムーブメントトレーを取り外した後の最上段のムーブメントトレーの裏面、即ち取出し用トレー面には、図６に示す如く、針取付け部１３を上側したムーブメント１が向きを揃えて整然と載置されている。この状態で、時計の組立て作業者は、最上段のムーブメントトレー４の取出し用トレー面からムーブメントを指５で挟んで取り出す。ところが、この時、隣接するムーブメント１との間にスキマが少ないので、指５が隣接するムーブメント１に接触し、接触したムーブメント１の載置方向を変えてしまうことがある。搬送用トレー面の収納凹部の裏面の範囲が取り出し用トレー面のムーブメント載置面となるのであるが、作業者の指５が隣接するムーブメントを所定の載置面の外に押し出し、同時に向きも変えてしまうことがあるのである。このため、組立て作業において、作業者はムーブメント１の載置方位を一々確認する必要が生じる。これは組立て作業の効率を低下させるという問題がある。
【特許文献１】特開２００２−３３３７０７号公報
【発明の開示】
【発明が解決しようとする課題】
【０００３】
本発明が解決しようとする課題は、ムーブメントが向きを揃えて載置される突起状台座を中央部に有する深底の収納凹部が複数列に整然と密集して形成されたムーブメントトレーであって、表側は搬送用トレー面となり裏側が取出し用トレー面となるムーブメントトレーにおいて、下側の搬送用トレー面から上側の取出し用トレー面に上下反転して移されたムーブメントを作業者が１個ずつ取り出すときに、隣接するムーブメントが前記取出し用トレー面上で載置の向きを変えないようにすることである。
【課題を解決するための手段】
【０００４】
上記課題を解決するために、下側のムーブメントトレーの搬送用トレーから上側のムーブメントトレーの取出し用トレーに上下反転して移されたムーブメントが所定の載置面の範囲内に収まるような位置規制手段を設けた。
【０００５】
上記位置規制手段の一つは、下側のムーブメントトレー搬送用トレーから上側のムーブメントトレーの取出し用トレーに上下反転して移されたムーブメントがそれぞれ載置される載置面を一定方向の傾斜面としたことである。
上記位置規制手段のもう一つは、下側のムーブメントトレーの搬送用トレーから上側のムーブメントトレーの取出し用トレーに上下反転して移されたムーブメントが一定方向に載置される載置面にムーブメントの電池収納凹部に入り込む位置規制用突起を設けたことである。
【発明の効果】
【０００６】
本発明により、ムーブメントトレーから取り出そうとしているムーブメントの収納方向を目で確認する確認行為を省略することができるようになり、外装組立の作業性が改善された。しかも、ムーブメントトレーからムーブメントを取り出す作業が非常に容易になった。
【発明を実施するための最良の形態】
【０００７】
表側が深底の収納凹部が複数列に整然と密集して配置された搬送用トレー面で且つ表側形状を反転した形状の裏側が取り出し用トレー面であるムーブメントトレーにおいて、前記ムーブメントが針取付け部と電池収納凹部との間の面の一部を着座して載置される突起状台座を前記収納凹部に設ける共に、前記収納凹部の底面を二分し前記突起状台座を境にして広い方の底面を傾斜底面とし、且つ狭い方の底面を深いレベルの平底面とした。
【実施例１】
【０００８】
実施例１は、搬送されてきたムーブメントが上下反転して移されて載置される取出し用トレー面の載置面を、ムーブメントの横方向の移動を規制する傾斜載置面としたことを特徴とするものである。  
図１又は図２に示す如く、実施例１のムーブメントトレー２の表側、即ち搬送用トレー面には、ムーブメント１を収納する深底の収納凹部２０が形成されている。収納凹部２０には突起状台座２３が中央より一方に偏った位置に、図の右側に偏った位置に形成されている。突起状台座２３の頂面、即ち収納されたムーブメント１の一部、即ち針取付け部と電池収納凹部との間の面の一部が着座する座面は、従来のムーブメントトレーの突起状台座と同程度のレベルであるが、面積は狭いものである。
ムーブメント１を収納する深底の収納凹部２０において、突起状台座２３の一方側、図の左側には傾斜底面２１が形成されている。換言すれば、傾斜底面２１は収納凹部２０の浅い基部２５から突起状台座２３の基部との間に形成されている。収納凹部２０の浅い基部２５は突起状台座２３の座面と同じレベルである。傾斜底面２１は突起状台座２３の基部近傍にカーブ面２１ａを有する。
また突起状台座２３の他方側、即ち図１又は２の右側には、傾斜底面２１よりも狭い面積で且つ深いレベルの平底面２２が形成されている。
図１に示す如く、実施例１のムーブメントトレー２において、針取付け部１３を下側にして且つ電池収納凹部１４を深いレベルの平底面２２に対応させて複数のムーブメント１が深底の収納凹部２０に整然と収納されている。そして、複数のムーブメント１が深底の収納凹部２０に整然と収納されているムーブメントトレー２は３段に積み重ねられている。搬送に際しては、最上段のムーブメントトレー２には、図示されていない空のムーブメントトレーが蓋として積み重ねられる。
外装組立て現場において、図１に示す如く積み重ねて搬送されてきたムーブメントトレー２は、ムーブメント１を取り出すために上下反転させられる。上下反転すると、最下段のムーブメントトレーは空トレーとなり、最上段の空トレーは最下段のムーブメントトレーとなる。そして、空トレー以外のムーブメントトレーは取り出し用トレー面が機能するようになる。
図２は上下反転した際の最上段とその下の段のムーブメントトレー２を示すもので、（Ａ）は上下反転した瞬間のムーブメント１の状態を、（Ｂ）はその直後のムーブメント１の状態をそれぞれ示す。即ち、積み重ねたムーブメントトレーを上下反転した瞬間は、上下のムーブメントトレーに挟まれているため、図２（Ａ）に示す如く、ムーブメント１は取り出し用トレー面上に水平に保持されている。
そこで、最上段のムーブメントトレーを取り除くと、図２（Ｂ）に示す如く、ムーブメント１はムーブメントトレー２の取り出し用トレー面上で矢印の方向に重力によって移動し、取り出し用トレー面上に傾斜して静止する。この重力による移動は、ムーンブメントトレー２の搬送用トレー面の傾斜底面２１の裏面が平底面２２の裏面から下り傾斜した傾斜面であること、及びムーブメント１の重心が前記傾斜面側に偏っていることによってスムーズに行われる。傾斜底面２１は突起状台座２３の基部近傍にカーブ面２１ａの裏面はカーブ面となっており、これはムーブメント１が図２（Ａ）の状態から図２（Ｂ）の状態にスムーズに移行するのに寄与している。
この重力による移動によって、ムーブメント１はその一端を隔壁用凸部２４の裏面に当接させ、且つ隔壁用凸部２４の裏面との当接端部の反対側端部を取り出し用トレー面よりも上に突出させた傾斜状態で、その電池面を搬送用トレー面の傾斜面２１の裏面に着座させて静止する。なお、このようなムーブメントの移動が行われても、搬送用トレー面におけるムーブメントの方向は移動前と変わることはない。そして、ムーブメントトレー２に収納されていた全てのムーブメント１が、ムーブメントトレー２の取り出し用トレー面上で上述の傾斜した静止状態となる。要するに、ムーンブメントトレー２の搬送用トレー面の傾斜底面２１の裏面が、ムーブメントの横方向の移動を規制する傾斜載置面となっているのである。
このため、取り出されるムーブメントとこれに隣接しているムーブメントとの間には、作業者の指５がゆったりと入り込む隙間が生じる。従って、ムーブメントトレー２の取り出し用トレー面から作業者がムーブメント１を取り出すときに隣接するムーブメント１を動かす恐れが激減した。仮に隣接するムーブメント１接触しても、上述の傾斜面の移動が行われるから、取り出し用トレー面における方向は変わることはない。
しかも、ムーブメントトレー２の取り出し用トレー面からムーブメント１を取り出し易くなった。ムーブメント１の一端が隔壁用凸部２４の裏面に当接しているため、図２（Ｂ）に示す如く、この当接端部を支点にして他端を指５で簡単に持ち上げられるからである。
【実施例２】
【０００９】
実施例２は、搬送されてきたムーブメントが上下反転して移されて載置される前記取出し用トレー面の載置面に、前記ムーブメントの電池収納凹部に入り込む位置規制突起を設け、これを規制手段としたことを特徴とするムーブメントトレーの裏側であるムーブメントの取り出し用トレー面に、ムーブメントの横方向の移動を規制する傾斜載置面を設けたことを特徴とするものである。  
図３又は図４に示す如く、実施例２のムーブメントトレー３の表側、即ち搬送用トレー面には、ムーブメント１を収納する深底の収納凹部３０が形成されている。収納凹部３０は、ムーブメント１が載置される突起状台座３３に針取付け部１３が収まる逃げ溝３３ａを有するものである。即ち、収納凹部３０はムーブメント１が向きを揃えて載置される突起状台座３３を中央部に有し、突起状台座３３の中心部にはムーブメント１の針取付け部１３が収まる逃げ溝３３ａが形成されている。言わば、この深底の収納凹部３０は、外輪山を有する火山の如き形状である。これは、外部からの衝撃を緩和させ、ムーブメント１の針取付け部１３が接触して変形しないようにするための構造である。また、搬送する時に、ムーブメントトレー３を積み重ねるため、ムーブメント１が平面ズレを起こさないように深底の収納凹部３０はムーブメント１を入れる深さよりも深くしている。
図３に示す如く、収納凹部３０の底面の一部には、突出底面３２が形成されている。この突出底面３２は、面積がムーブメント１の電池収納凹部１４よりも小さく、且つ電池収納凹部１４の深さ分だけ更に深い突出底面である。
図３に示す如く、実施例２のムーブメントトレー３において、針取付け部１３を下側にして複数のムーブメント１が深底の収納凹部３０に整然と収納されている。そして、複数のムーブメント１が深底の収納凹部３０に整然と収納されているムーブメントトレー３は３段に積み重ねられている。搬送に際しては、最上段のムーブメントトレー３には、図示されていない空のムーブメントトレーが蓋として積み重ねられる。
外装組立て現場において、図３に示す如く積み重ねて搬送されてきたムーブメントトレー３は、ムーブメント１を取り出すために上下反転させられる。上下反転すると、最下段のムーブメントトレーは空トレーとなり、最上段の空トレーは最下段のムーブメントトレーとなる。そして、空トレー以外のムーブメントトレーは取り出し用トレー面が機能するようになる。
図４は上下反転した際の最上段とその下の段のムーブメントトレー３を示すものである。図４から明らかなごとく、上下反転させられてムーブメントトレー３の取り出し用トレー面に載置されたムーブメント１の電池収納凹部１４には、突出底面３２の裏面形状である突出部が入り込んでいる。（Ａ）は上下反転した直後のムーブメント１の載置状態を、（Ｂ）は作業者がムーブメントの１つを指５で取り出そうとしている状態を示す。即ち、作業者がムーブメントの１つを指５で取り出そうとし、その際に指５が隣接するムーブメントに接触すると、接触されたムーブメントは図の矢印の横方向に移動する。しかしながら、ムーブメント１の電池収納凹部１４には突出底面３２の裏面形状である突出部が入り込んでいるために、接触されたムーブメントの横方向の移動量は僅かであって、実質的に横方向移動が規制される。従って、隣接するムーブメントが取り出し用トレー面上で方向を変えることが防止されるようになった。要するに、突出底面３２の裏面形状である突出部はムーブメントの横方向移動を規制する位置規制用突起として機能するのである。
【図面の簡単な説明】
【００１０】
【図１】ムーブメントを収納し且つ積み重ねた状態の本発明の実施例１のムーブメントトレーの断面図である。
【図２】本発明の実施例１のムーブメントトレーの作用を説明するための部分拡大断面図である。
【図３】ムーブメントを収納し且つ積み重ねた状態の本発明の実施例２のムーブメントトレーの断面図である。
【図４】本発明の実施例２のムーブメントトレーの作用を説明するための部分拡大断面図である。
【図５】ムーブメントを収納し且つ積み重ねた状態の従来のムーブメントトレーの断面図である。
【図６】従来のムーブメントトレーの作用を説明するための部分拡大断面図である。
【図７】ムーブメントトレーの電池面側の平面図（Ａ）、針付面側の平面図（Ｂ）及び断面図（Ｃ）である。
【図８】ムーブメントが収納されたムーブメントトレーの部分平面図である。
【符号の説明】
【００１１】
１  ムーブメント
２，３，４  ムーブメントトレー
１１  ムーブメントの電池面
１２  針取付け面
１３  針取付け部
１４  電池収納凹部
２０  収納凹部
２１  傾斜底面
２１ａ  カーブ面
２２  平底面
２３  突起状台座
２４  収納部間突起部
２５  収納凹部の浅い基部
３０  収納凹部
３１  底面
３２  突出底面
３３  突起状台座
３３ａ  逃げ溝
３４  収納部間突起部
４０  収納凹部
４１，４２  底面
４３  突起状台座
４３ａ  逃げ溝
４４  収納部間突起部
【図１】
2005263254.tif 000003
【図２】
2005263254.tif 000004
【図３】
2005263254.tif 000005
【図４】
2005263254.tif 000006
【図５】
2005263254.tif 000007
【図６】
2005263254.tif 000008
【図７】
2005263254.tif 000009
【図８】
2005263254.tif 000010